【手続補正書】
【提出日】平成26年8月13日(2014.8.13)
【手続補正１】
【補正対象書類名】特許請求の範囲
【補正対象項目名】全文
【補正方法】変更
【補正の内容】
【特許請求の範囲】
【請求項１】
生体の脈波の測定期間である第１測定期間と第２測定期間とにおける、前記生体を透過した又は前記生体で反射した第１の波長の光を受光した受光量に基づく第１測定信号、及び前記生体を透過した又は前記生体で反射した第２の波長の光を受光した受光量に基づく第２測定信号とを取得する取得手段と、
前記第１測定期間と前記第２測定期間における前記第１測定信号と第２測定信号とから、第１周波数成分の信号と、前記第１周波数成分の周波数帯域より低い周波数帯域の第２周波数成分の信号とを抽出する抽出手段と、
前記抽出手段によって抽出された前記第１測定期間及び前記第２測定期間における前記第１周波数成分の信号と前記第２周波数成分の信号とに基づき前記第２測定信号と前記第１測定信号との相関を表す第１係数と第２係数とを算出し、前記第１係数と前記第２係数との差に応じて、前記第１係数及び前記第２係数を用いて前記第２測定期間における前記第１測定信号と前記第２測定信号に含まれる脈動成分とノイズ成分とを分離する分離処理と、前記第２測定期間における前記第２測定信号の前記第１周波数成分を前記脈動成分とする処理とを選択的に行い、前記第２測定期間における前記脈動成分を出力する出力手段と
を備えることを特徴とする信号処理装置。
【請求項２】
前記出力手段は、下記式(１)によって得られる値を前記第１係数とし、下記式(２)によって得られる値を前記第２係数とすることを特徴とする請求項１に記載の信号処理装置。
【数１】
2013056083.tif 000001
‖ＲACpulse‖２は第１測定期間の第１測定信号の第１周波数成分のノルムである。
‖ＧACpulse‖２は第１測定期間の第２測定信号の第１周波数成分のノルムである。
‖ＲDCpulse‖２は第１測定期間の第１測定信号の第２周波数成分のノルムである。
‖ＧDCpulse‖２は第１測定期間の第２測定信号の第２周波数成分のノルムである。
‖ＲACnoise(j-k:j+k)‖２は第２測定期間の第１測定信号の第１周波数成分のノルムである。
‖ＧACnoise(j-k:j+k)‖２は第２測定期間の第２測定信号の第１周波数成分のノルムである。
‖ＲDCnoise(j-k:j+k)‖２は第２測定期間の第１測定信号の第２周波数成分のノルムである。
‖ＧDCnoise(j-k:j+k)‖２は第２測定期間の第２測定信号の第２周波数成分のノルムである。
【請求項３】
前記第１係数と前記第２係数との差が予め定めた閾値の範囲内である場合には、前記第２測定期間における前記第２測定信号の前記第１周波数成分を前記脈動成分とする処理を行い、前記閾値の範囲外である場合には、前記第１係数と前記第２係数とを用いた前記分離処理を行うことを特徴とする請求項２に記載の信号処理装置。
【請求項４】
前記第２の波長の光は、前記第１の波長の光よりも酸化ヘモグロビンに対して還元ヘモグロビンの吸光係数が小さいことを特徴とする請求項１から３のいずれか一項に記載の信号処理装置。
【請求項５】
前記第１の波長の光を前記生体に照射し、前記生体を透過した又は前記生体で反射した前記第１の波長の光を受光し、受光量に応じた前記第１測定信号を出力する第１受発光部と、
前記第２の波長の光を前記生体に照射し、前記生体を透過した又は前記生体で反射した前記第２の波長の光を受光し、受光量に応じた前記第２測定信号を出力する第２受発光部と、
前記第１受発光部と前記第２受発光部とから出力された前記第１測定信号及び前記第２測定信号を用いて、前記第２測定期間における脈動成分を出力する請求項１から４のいずれか一項に記載の信号処理装置と
を備えることを特徴とする脈波計測装置。
【請求項６】
測定対象の生体の脈波を測定する第１測定期間と、前記生体の体動の影響を受けている第２測定期間とにおける、前記生体を透過した又は前記生体で反射した第１の波長の光を受光した受光量に基づく第１測定信号、及び前記生体を透過した又は前記生体で反射した第２の波長の光を受光した受光量に基づく第２測定信号とを取得する取得ステップと、
前記第１測定期間及び前記第２測定期間における前記第１測定信号と第２測定信号とから、第１周波数成分の信号と、前記第１周波数成分の周波数帯域より低い周波数帯域の第２周波数成分の信号とを抽出する抽出ステップと、
前記抽出ステップによって抽出された前記第１測定期間及び前記第２測定期間における前記第１周波数成分の信号と前記第２周波数成分の信号とに基づき前記第２測定信号と前記第１測定信号との相関を表す第１係数と第２係数とを算出し、前記第１係数と前記第２係数との差に応じて、前記第１係数及び前記第２係数を用いて前記第２測定期間における前記第１測定信号と前記第２測定信号に含まれる脈動成分とノイズ成分とを分離する分離処理と、前記第２測定期間における前記第２測定信号の前記第１周波数成分を前記脈動成分とする処理とを選択的に行い、前記第２測定期間における前記脈動成分を出力する出力ステップと
を有することを特徴とする信号処理方法。
【請求項７】
生体の脈波の測定期間である第１測定期間と、前記生体の体動の影響を受けている第２測定期間とにおける、前記生体を透過した又は前記生体で反射した第１の波長の光を受光
した受光量に基づく第１測定信号、及び前記生体を透過した又は前記生体で反射した第２の波長の光を受光した受光量に基づく第２測定信号とを取得する取得手段と、
前記第１測定期間及び前記第２測定期間における前記第１測定信号と第２測定信号とから、第１周波数成分の信号と、前記第１周波数成分の周波数帯域より低い周波数帯域の第２周波数成分の信号を抽出する抽出手段と、
前記抽出手段によって抽出された前記第１測定期間及び前記第２測定期間における、の前記第１周波数成分の信号と前記第２周波数成分の信号に基づき前記第２測定信号と前記第１測定信号との相関を表す第１係数及び第２係数とを算出し、前記第１係数と前記第２係数とを用いて、前記第２測定期間における前記第１測定信号と前記第２測定信号とに含まれる脈動成分とノイズ成分とを分離する分離手段と
を備えることを特徴とする信号処理装置。
【請求項８】
前記分離手段は、前記第１測定期間における前記第２測定信号に対する前記第１測定信号の前記第１周波数成分と前記第２周波数成分の各値を加算した値を前記第１係数とし、前記第２測定期間における前記第２測定信号に対する前記第１測定信号の第１周波数成分と前記第２周波数成分の各値を加算した値を前記第２係数として用いることを特徴とする請求項７に記載の信号処理装置。
【請求項９】
生体の脈波の測定期間である第１測定期間と、前記生体の体動の影響を受けている第２測定期間とにおける、前記生体を透過した又は前記生体で反射した第１の波長の光を受光した受光量に基づく第１測定信号、及び前記生体を透過した又は前記生体で反射した第２の波長の光を受光した受光量に基づく第２測定信号を取得する取得ステップと、
前記第１測定期間及び前記第２測定期間における前記第１測定信号と第２測定信号とから、第１周波数成分の信号と、前記第１周波数成分の周波数帯域より低い周波数帯域の第２周波数成分の信号を抽出する抽出ステップと、
前記抽出ステップによって抽出された前記第１測定期間と前記第２測定期間の前記第１周波数成分の信号と前記第２周波数成分の信号に基づき前記第２測定信号と前記第１測定信号との相関を表す第１係数及び第２係数を算出し、前記第１係数及び前記第２係数を用いて、前記第２測定期間における前記第１測定信号と前記第２測定信号に含まれる脈動成分とノイズ成分とを分離する分離ステップと
を有することを特徴とする信号処理方法。